(57)【要約】【課題】予約録画した番組と同一内容の番組を再度録画する機会を増加させる。【解決手段】制御部２２は、同一番組検出部１７に電子番組表情報を検索して録画予約番組と同一の内容の番組を検出させ、録画予約番組より先に放送される同一の内容の番組が検出された場合、検出された番組に録画予約を変更するか否かをユーザに選択させるための確認画面をＯＳＤ部２０により表示させ、この確認画面においてユーザ操作により録画予約変更をすることが選択された場合、録画予約を変更させる。また、制御部２２は、予約録画した番組の再生後、再生した番組より後に放送される同一の内容の番組が存在する場合に、当該録画するか否かをユーザに選択させるための確認画面をＯＳＤ部２０により表示させ、この確認画面においてユーザ操作により録画をすることが選択された場合、当該番組を録画させる。【選択図】図１
2009135755.tif 000002
【特許請求の範囲】
【請求項１】
所定期間に放送予定の複数の番組の番組名情報、放送チャンネル情報、番組ジャンル情報、放送日情報、放送開始時刻情報、放送終了時刻情報、および番組内容情報を少なくとも含む電子番組表情報を取得して記憶する電子番組表取得手段と、
前記複数の番組のうち、入力される録画予約指示情報によって録画予約が指示される前記番組である第１の番組の番組名情報、放送チャンネル情報、番組ジャンル情報、放送日情報、放送開始時刻情報、放送終了時刻情報、および番組内容情報を少なくとも含む第１の録画予約情報を生成して記憶する録画予約手段と、
前記複数の番組から、前記第１の番組と略同一の番組名情報、同一の放送チャンネル情報、同一の番組ジャンル情報、および略同一の番組内容情報を少なくとも含む番組を検出する検出手段と、
前記検出手段により検出された番組である前記第２の番組の番組名情報、放送チャンネル情報、番組ジャンル情報、放送日情報、放送開始時刻情報、放送終了時刻情報、および番組内容情報を少なくとも含む第１の同一番組情報を生成して記憶する同一番組管理手段と、
前記第２の番組が前記第１の番組よりも先に放送される番組である場合、前記第１の番組から前記第２の番組へ録画予約を変更するか否かをユーザに選択させるための第１の確認画面を生成して表示する第１の確認画面表示手段と、
前記第１の番組から前記第２の番組への録画予約変更指示情報が入力された場合、前記録画予約手段に記憶された前記第１の前記録画予約情報を、前記第２の番組の番組名情報、放送チャンネル情報、番組ジャンル情報、放送日情報、放送開始時刻情報、放送終了時刻情報、および番組内容情報を含む第２の録画予約情報に変更するとともに、前記同一番組管理手段に記憶された前記第１の同一番組情報を、前記第１の番組の番組名情報、放送チャンネル情報、番組ジャンル情報、放送日情報、放送開始時刻情報、放送終了時刻情報、および番組内容情報を含む第２の同一番組情報に変更する録画予約変更手段と、
前記第２の番組が前記第１の番組よりも後に放送される番組である場合、前記第１の録画予約情報に基づいて前記第１の番組を録画し、前記第２の番組が前記第１の番組よりも先に放送される番組であり、かつ前記録画予約変更手段により前記第１の番組から前記第２の番組へ録画予約を変更した場合、前記第２の録画予約情報に基づいて前記第２の番組を録画する録画手段と、
前記録画手段により録画された、前記第１または第２の番組のうち先に放送される番組である先放送番組が再生手段により再生され、その再生終了時刻が前記第１または第２の番組のうち後に放送される番組である後放送番組の放送開始時刻よりも早い時刻である場合、前記後放送番組を録画するか否かをユーザに選択させるための第２の確認画面を生成して表示する第２の確認画面表示手段とを備え、
前記録画手段は、前記後放送番組を録画する指示を示す情報が入力された場合、前記第１または第２の同一番組情報に基づいて、前記後放送番組を録画することを特徴とする録画再生装置。
【請求項２】
録画予約された前記第１および第２の番組の少なくともいずれか一方の番組名情報、放送チャンネル情報、放送日情報、放送開始時刻情報、放送終了時刻情報、および前記先放送番組または後放送番組が存在することを示す情報を含む録画予約番組の一覧を表示するための録画予約番組表示画面を生成して表示する録画予約番組画面表示手段をさらに備えることを特徴とする請求項１に記載の録画再生装置。
【請求項３】
前記第１および第２の同一番組情報に含まれる放送終了時刻が経過した後、当該第１および第２の同一番組情報を消去する消去手段をさらに備えることを特徴とする請求項１または２に記載の録画再生装置。
【発明の詳細な説明】
【技術分野】
【０００１】
本発明は、放送番組を録画再生する録画再生装置に関する。
【背景技術】
【０００２】
放送番組を録画する録画装置において、ユーザが録画予約した番組が正確に録画されていない場合などに、同一内容の番組を再度録画したい場合がある。このような要望を満たすための技術が種々提案されている。
【０００３】
例えば、特許文献１では、ユーザが録画予約した複数の番組間で放送時間に重複があり、いずれかの番組が録画できなくなる場合に、電子番組表（ＥＰＧ：Electronic Program Guide）情報を用いて、録画予約した番組の再放送番組などの録画予約の代替えの可能な番組を検出してユーザに提示し、ユーザが希望の番組を録画できるようにした録画装置が提案されている。
【０００４】
また、特許文献２では、録画を失敗した番組の再放送番組を、電子番組表情報を用いて検出し、この再放送番組を録画する技術が提案されている。
【特許文献１】特開平１１−１８５３１６号公報
【特許文献２】特開２０００−４１２１１号公報
【発明の開示】
【発明が解決しようとする課題】
【０００５】
上記特許文献１，２では、録画予約した番組より後に放送される番組の中から再放送番組を検出するため、再放送番組が存在しない場合では、録画に失敗した番組と同一内容の番組を再度録画する機会が得られなかった。
【０００６】
本発明は上記に鑑みてなされたもので、予約録画した番組と同一内容の番組を再度録画する機会を増加させることができる録画再生装置を提供することを目的とする。
【課題を解決するための手段】
【０００７】
上記目的を達成するため、本発明の録画再生装置は、所定期間に放送予定の複数の番組の番組名情報、放送チャンネル情報、番組ジャンル情報、放送日情報、放送開始時刻情報、放送終了時刻情報、および番組内容情報を少なくとも含む電子番組表情報を取得して記憶する電子番組表取得手段と、前記複数の番組のうち、入力される録画予約指示情報によって録画予約が指示される前記番組である第１の番組の番組名情報、放送チャンネル情報、番組ジャンル情報、放送日情報、放送開始時刻情報、放送終了時刻情報、および番組内容情報を少なくとも含む第１の録画予約情報を生成して記憶する録画予約手段と、前記複数の番組から、前記第１の番組と略同一の番組名情報、同一の放送チャンネル情報、同一の番組ジャンル情報、および略同一の番組内容情報を少なくとも含む番組を検出する検出手段と、前記検出手段により検出された番組である前記第２の番組の番組名情報、放送チャンネル情報、番組ジャンル情報、放送日情報、放送開始時刻情報、放送終了時刻情報、および番組内容情報を少なくとも含む第１の同一番組情報を生成して記憶する同一番組管理手段と、前記第２の番組が前記第１の番組よりも先に放送される番組である場合、前記第１の番組から前記第２の番組へ録画予約を変更するか否かをユーザに選択させるための第１の確認画面を生成して表示する第１の確認画面表示手段と、前記第１の番組から前記第２の番組への録画予約変更指示情報が入力された場合、前記録画予約手段に記憶された前記第１の前記録画予約情報を、前記第２の番組の番組名情報、放送チャンネル情報、番組ジャンル情報、放送日情報、放送開始時刻情報、放送終了時刻情報、および番組内容情報を含む第２の録画予約情報に変更するとともに、前記同一番組管理手段に記憶された前記第１の同一番組情報を、前記第１の番組の番組名情報、放送チャンネル情報、番組ジャンル情報、放送日情報、放送開始時刻情報、放送終了時刻情報、および番組内容情報を含む第２の同一番組情報に変更する録画予約変更手段と、前記第２の番組が前記第１の番組よりも後に放送される番組である場合、前記第１の録画予約情報に基づいて前記第１の番組を録画し、前記第２の番組が前記第１の番組よりも先に放送される番組であり、かつ前記録画予約変更手段により前記第１の番組から前記第２の番組へ録画予約を変更した場合、前記第２の録画予約情報に基づいて前記第２の番組を録画する録画手段と、前記録画手段により録画された、前記第１または第２の番組のうち先に放送される番組である先放送番組が再生手段により再生され、その再生終了時刻が前記第１または第２の番組のうち後に放送される番組である後放送番組の放送開始時刻よりも早い時刻である場合、前記後放送番組を録画するか否かをユーザに選択させるための第２の確認画面を生成して表示する第２の確認画面表示手段とを備え、前記録画手段は、前記後放送番組を録画する指示を示す情報が入力された場合、前記第１または第２の同一番組情報に基づいて、前記後放送番組を録画することを特徴とする。
【０００８】
また、本発明の録画再生装置は、録画予約された前記第１および第２の番組の少なくともいずれか一方の番組名情報、放送チャンネル情報、放送日情報、放送開始時刻情報、放送終了時刻情報、および前記先放送番組または後放送番組が存在することを示す情報を含む録画予約番組の一覧を表示するための録画予約番組表示画面を生成して表示する録画予約番組画面表示手段をさらに備えることを特徴とする。
【０００９】
また、本発明の録画再生装置は、前記第１および第２の同一番組情報に含まれる放送終了時刻が経過した後、当該第１および第２の同一番組情報を消去する消去手段をさらに備えることを特徴とする。
【発明の効果】
【００１０】
本発明の録画再生装置によれば、予約録画した番組と同一内容の番組を再度録画する機会を増加させることができる。
【発明を実施するための最良の形態】
【００１１】
以下、本発明の録画再生装置を実施するための最良の形態について、図面を参照して説明する。
【００１２】
図１は、本発明の実施の形態に係る録画再生装置の構成を示すブロック図である。図１に示すように本実施の形態に係る録画再生装置１０は、受信部１１と、記録処理部１２と、記録媒体１３と、ＥＰＧ処理部１４と、録画予約部１５と、録画番組管理部１６と、同一番組検出部１７と、同一番組管理部１８と、再生処理部１９と、ＯＳＤ（On Screen Display）部２０と、操作入力部２１と、制御部２２とを備え、モニタ３０に接続されている。
【００１３】
受信部１１は、図示しないアンテナを介して放送波から所望の番組を含むチャンネルの受信信号を取得してこれを出力する。
【００１４】
記録処理部１２は、受信部１１から供給される受信信号に含まれる所望の番組をデジタルストリームに変換して記録媒体１３に記録する処理を行う。
【００１５】
記録媒体１３は、ハードディスクや記録対応型ＤＶＤ（Digital Versatile Disc）等のランダムアクセス可能な大容量の記録媒体からなり、記録処理部１２から供給される所望の番組のデジタルストリームを記録する。
【００１６】
ＥＰＧ処理部１４は、アナログ放送波の垂直帰線区間（ＶＢＩ：Vertical Blanking Interval）に重畳された信号から電子番組表情報を取得してこれを記憶する。電子番組表情報には、所定期間に放送予定の複数の番組の番組名情報、放送チャンネル情報、番組ジャンル情報、放送日情報、放送開始時刻情報、放送終了時刻情報、番組内容情報等が含まれている。
【００１７】
なお、電子番組表情報は、デジタル放送信号に含まれるＳＩ（Service Information）データから取得してもよいし、インターネットを介してインターネットサイトから取得してもよい。
【００１８】
録画予約部１５は、ユーザ操作により録画予約される番組の番組名情報、放送チャンネル情報、番組ジャンル情報、放送日情報、放送開始時刻情報、放送終了時刻情報、番組内容情報等を含む録画予約情報を生成してこれを記憶する。
【００１９】
録画番組管理部１６は、記録媒体１３に記録した番組の番組名情報、放送チャンネル情報、放送日情報、放送開始時刻情報、放送終了時刻情報等を含む録画番組情報を生成してこれを記憶する。
【００２０】
同一番組検出部１７は、ＥＰＧ処理部１４に記憶された電子番組表情報を検索し、録画予約部１５に記憶された録画予約情報に対応する録画予約番組と同一の内容の番組を検出する。
【００２１】
同一番組管理部１８は、同一番組検出部１７で検出された番組の番組名情報、放送チャンネル情報、番組ジャンル情報、放送日情報、放送開始時刻情報、放送終了時刻情報、番組内容情報等を含む同一番組情報を生成してこれを記憶する。
【００２２】
再生処理部１９は、記録媒体１３に記録されている番組のデジタルストリームを読み出し、このデジタルストリームを復号して映像信号を出力する。
【００２３】
ＯＳＤ部２０は、電子番組表等を表示するための表示画面を生成し、これを再生処理部１９から供給される映像信号に重畳してモニタ３０に表示する。
【００２４】
操作入力部２１は、リモコン（図示せず）より出力される例えば赤外線を受光し、この赤外線による伝達信号を操作信号に適宜変換して制御部２２へ出力する。
【００２５】
制御部２２は、録画再生装置１０に設けられた各部を統括的に制御する。
【００２６】
次に、録画再生装置１０の録画予約設定時の動作について、図２に示すフローチャートを参照して説明する。
【００２７】
まず、ステップＳ１０において、ユーザのリモコン操作に基づく電子番組表の表示指示を示す信号が操作入力部２１を介して入力されると、制御部２２は、ＥＰＧ処理部１４に記憶されている電子番組表情報を用いて、例えば図３、図４に示すような電子番組表画面を生成して表示するようにＯＳＤ部２０を制御する。ユーザはリモコン操作により、この電子番組表画面上で任意の番組を選択し、録画予約の設定を行う。
【００２８】
次いで、ステップＳ２０において、制御部２２は、録画予約の設定が行われた番組の番組名情報、放送チャンネル情報、番組ジャンル情報、放送日情報、放送開始時刻情報、放送終了時刻情報、番組内容情報等を含む録画予約情報を生成し、これを記憶することにより録画予約を設定するように録画予約部１５を制御する。
【００２９】
次いで、ステップＳ３０において、制御部２２は、ＥＰＧ処理部１４に記憶された電子番組表情報を検索し、録画予約部１５に記憶された録画予約情報に対応する録画予約番組と同一の内容の番組を検出するように同一番組検出部１７を制御する。
【００３０】
ここで、例えば、２つの番組の番組名情報、放送チャンネル情報、番組ジャンル情報、および番組内容情報がそれぞれ同一である場合、それらは同一の内容の番組であると判断する。なお、番組名情報および番組内容情報が同一であるか否かの判断は、完全一致に限らず、余裕幅を持たせて判断するようにしてもよい。例えば、比較元となる録画予約情報の番組名情報および番組内容情報の文字列に対し、比較先である電子番組表情報の番組名情報および番組内容情報を１文字ごとに分解し、先頭の文字から順に比較元に現れる頻度をカウントし、比較元の文字数の例えば８割以上が同じであれば同一の番組名情報および番組内容情報であると判断するようにしてもよい。
【００３１】
次いで、ステップＳ４０において、制御部２２は、同一番組検出部１７の検出結果により、録画予約番組と同一の内容の番組が存在するか否かを判断する。同一の内容の番組が存在する場合（ステップＳ４０：ＹＥＳ）、ステップＳ５０に進み、同一の内容の番組が存在しない場合（ステップＳ４０：ＮＯ）、そのまま録画予約処理を終了する。
【００３２】
ステップＳ５０において、制御部２２は、同一番組検出部１７で検出された、録画予約番組と同一の内容の番組である検出番組の番組名情報、放送チャンネル情報、番組ジャンル情報、放送日情報、放送開始時刻情報、放送終了時刻情報、番組内容情報等を含む同一番組情報を生成し、これを記憶するように同一番組管理部１８を制御する。
【００３３】
次いで、ステップＳ６０において、制御部２２は、同一番組検出部１７で検出された検出番組が、当該検出番組に対応する録画予約番組よりも先に放送される番組であるか否かを判断する。例えば、図３に示す番組Ａがユーザのリモコン操作により録画予約が指示された録画予約番組であり、番組Ａより先に放送される番組Ｂが番組Ａと同一の内容の番組として検出された場合（ステップＳ６０：ＹＥＳ）、ステップＳ７０に進み、図４に示す番組Ａより後に放送される番組Ｃが番組Ａと同一の内容の番組として検出された場合（ステップＳ６０：ＮＯ）、ステップＳ１００に進む。
【００３４】
ステップＳ７０において、制御部２２は、録画予約番組より先に放送される同一の内容の番組が存在することをユーザに通知し、録画予約を変更するか否かをユーザに選択させるための確認画面を生成して表示するようにＯＳＤ部２０を制御する。
【００３５】
ここで表示される確認画面の一例を図５に示す。図５において、確認画面４０には、録画予約番組より先に放送される同一の内容の番組が存在することを通知し、録画予約を変更するか否かの質問を表示するメッセージ４１と、録画予約を変更することを選択するための「ＹＥＳ」ボタン４２と、録画予約を変更しないことを選択するための「ＮＯ」ボタン４３と、検出番組の番組名等の情報を表示する番組情報表示欄４４とが表示される。
【００３６】
次いで、ステップＳ８０において、制御部２２は、ユーザのリモコン操作により「ＹＥＳ」ボタン４２を選択することによる録画予約を変更する指示を示す信号が操作入力部２１を介して入力された否かを判断する。「ＹＥＳ」ボタン４２を選択して録画予約を変更する指示を示す信号が入力された場合（ステップＳ８０：ＹＥＳ）、ステップＳ９０に進み、「ＮＯ」ボタン４３を選択して録画予約を変更しない指示を示す信号が入力された場合（ステップＳ８０：ＮＯ）、そのまま録画予約処理を終了する。
【００３７】
ステップＳ９０において、制御部２２は、録画予約部１５に記憶された録画予約番組の録画予約情報に含まれる番組名情報等の各情報を、検出番組についての番組名情報等の各情報に変更させるとともに、同一番組管理部１８に記憶された検出番組についての同一番組情報に含まれる番組名情報等の各情報を、録画予約番組の番組名情報等の各情報に変更させる。これにより、図３に示した例であれば、録画予約番組が番組Ａから番組Ｂに変更され、番組Ａについての番組名情報等の各情報が同一番組情報として同一番組管理部１８に記憶される。
【００３８】
ステップＳ１００において、制御部２２は、録画予約番組より後に放送される同一の内容の番組が存在することをユーザに通知するための確認画面をＯＳＤ部２０に生成させて表示させた後、録画予約処理を終了する。
【００３９】
ここで表示される確認画面の一例を図６に示す。図６において、確認画面５０には、録画予約番組より後に放送される同一の内容の番組が存在することを表示するメッセージ５１と、検出番組の番組名等の情報を表示する番組情報表示欄５２とが表示される。
【００４０】
録画再生装置１０では、上記のようにして録画予約が設定された録画予約番組の一覧を表示することができる。ユーザのリモコン操作により録画予約番組一覧の表示指示を示す信号が操作入力部２１を介して入力されると、制御部２２は、録画予約番組表示画面をＯＳＤ部２０に生成させ、モニタ３０に表示させる。
【００４１】
ここで表示される録画予約番組表示画面の一例を図７に示す。図７に示すように、録画予約番組表示画面６０には、録画予約番組の番組名を表示する番組名欄６１、放送チャンネルを表示する放送チャンネル欄６２、放送日および放送開始終了時刻を示す放送日時欄６３とともに、当該番組と同一の内容の番組が存在するか否かを表示する同一番組欄６４が表示される。上述の録画予約処理において録画予約番組と同一の内容の番組が検出され、同一番組情報が同一番組管理部１８記憶されている場合に、同一番組欄６４に「有」と表示され、その放送日時も表示される。
【００４２】
例えば、図３に示した例において、録画予約番組が番組Ａから番組Ｂに変更された場合、放送日時欄６３には番組Ｂの放送日時が表示され、同一番組欄６４には「有」と番組Ａの放送日時が表示される。また、図４に示した例であれば、放送日時欄６３には番組Ａの放送日時が表示され、同一番組欄６４には「有」と番組Ｃの放送日時とが表示される。
【００４３】
また、図３に示した例において、録画予約番組が番組Ａから番組Ｂに変更されなかった場合、放送日時欄６３には番組Ａの放送日時が表示され、同一番組欄６４には「有」と番組Ｂの放送日時が表示される。この場合、番組Ｂの放送終了時刻が経過した時点で、制御部２２は、同一番組欄６４の表示を「無」に切り替えるようにＯＳＤ部２０を制御するとともに、同一番組管理部１８から番組Ｂについての同一番組情報を消去させる。
【００４４】
次に、録画時の動作を説明する。
【００４５】
録画予約番組の放送開始時刻に達すると、制御部２２は、受信部１１を制御して放送波から録画予約番組を含むチャンネルの受信信号を取得させ、この受信信号を記録処理部１２に供給させる。そして、制御部２２は、記録処理部１２を制御し、受信部１１から供給される受信信号に含まれる録画予約番組をデジタルストリームに変換させて記録媒体１３に記録させる。
【００４６】
制御部２２は、録画予約番組のデジタルストリームを録画すると、録画予約部１５に記憶された録画予約情報、および同一番組管理部１８に記憶された同一番組情報を利用して、録画番組の番組名情報、放送チャンネル情報、番組ジャンル情報、放送日情報、放送開始時刻情報、放送終了時刻情報、番組内容情報、同一の内容の番組の有無を示す情報等を含む録画番組リストを生成し、これを記憶するように録画番組管理部１６を制御する。
【００４７】
また、制御部２２は、記録媒体１３に記録中の番組の代表画像として、例えば番組の先頭部分の画像データを取得し、これを後述の録画番組一覧画面に表示するためのサムネイル画像として保持するように録画番組管理部１６を制御する。
【００４８】
録画終了後、制御部２２は、録画した番組のデジタルストリームに録画失敗要因が含まれているか否かを記録処理部１２に調査させる。録画失敗要因としては、例えば、放送電波の不具合、放送時間の延長による不要な番組の録画、不要なテロップの混入などがあげられる。このような録画失敗要因が検出された場合は、録画失敗要因が検出されたことを示す情報を録画番組管理部１６の録画番組リストに追加する。
【００４９】
次に、再生時の動作を説明する。
【００５０】
ユーザのリモコン操作により録画番組一覧の表示指示を示す信号が操作入力部２１を介して入力されると、制御部２２は、録画番組管理部１６に記憶された録画番組リストおよび録画番組の代表画像を用いて録画番組一覧画面を生成し、これをモニタ３０に表示するようにＯＳＤ部２０を制御する。
【００５１】
ここで表示される録画番組一覧画面の一例を図８に示す。図８に示すように、録画番組一覧画面７０には、指定された録画番組の番組名等の情報を表示する番組情報表示欄７１と、録画番組の代表画像を縮小したサムネイル画像７２〜７７とが表示される。図８では、ユーザ操作によりサムネイル画像７２が指定され、このサムネイル画像７２に対応する録画番組の番組名等の情報が番組情報表示欄７１に表示されている。
【００５２】
録画終了時において当該録画番組に録画失敗要因が検出されていた場合は、図８に示すように、その旨が番組情報表示欄７１に表示される。また、この録画番組一覧画面７０の表示時点より後に放送される当該録画番組と同一の内容の番組が存在する場合、その旨が番組情報表示欄７１に表示される。
【００５３】
ユーザのリモコン操作により録画番組一覧画面７０から１つの録画番組が指定され、再生指示を示す信号が操作入力部２１を介して入力されると、制御部２２は、再生処理部１９を制御して記録媒体１３から指定された録画番組のデジタルストリームを読み出して復号させ、ＯＳＤ部２０を介してモニタ３０に番組を表示させる。
【００５４】
次に、録画番組より後に放送される同一の内容の番組が存在する場合に、この同一の内容の番組を録画する手順について、図９に示すフローチャートを参照して説明する。
【００５５】
ステップＳ１１０において、ユーザ操作により指定された録画番組を上記に説明した動作により再生すると、ステップＳ１２０において、制御部２２は、同一番組情報に基づいて、再生を終了した時刻が、再生した録画番組より後に放送される同一の内容の番組の放送開始時刻を経過しているか否かを判断する。経過している場合（ステップＳ１２０：ＹＥＳ）、ステップＳ１６０に進み、経過していない場合（ステップＳ１２０：ＮＯ）、ステップＳ１３０に進む。
【００５６】
ステップＳ１３０において、制御部２２は、再生した録画番組より後に放送される同一の内容の番組が存在することをユーザに通知し、当該番組を録画するか否かをユーザに選択させるための確認画面を生成して表示するようにＯＳＤ部２０を制御する。
【００５７】
ここで表示される確認画面の一例を図１０に示す。図１０において、確認画面８０には、再生した録画番組より後に放送される同一の内容の番組が存在することを通知し、当該番組を録画するか否かの質問を表示するメッセージ８１と、録画することを選択するための「ＹＥＳ」ボタン８２と、録画しないことを選択するための「ＮＯ」ボタン８３と、同一の内容の番組の番組名等の情報を表示する番組情報表示欄８４とが表示される。
【００５８】
次いで、ステップＳ１４０において、制御部２２は、ユーザのリモコン操作により「ＹＥＳ」ボタン８２を選択することよる録画指示を示す信号が操作入力部２１を介して入力された否かを判断する。「ＹＥＳ」ボタン８２を選択して録画指示を示す信号が入力された場合（ステップＳ１４０：ＹＥＳ）、ステップＳ１５０に進み、「ＮＯ」ボタン８３を選択して録画しない指示を示す信号が入力された場合（ステップＳ１４０：ＮＯ）、ステップＳ１６０に進む。
【００５９】
再生した録画番組より後に放送される同一の内容の番組の放送開始時刻に達すると、制御部２２は、ステップＳ１５０において、上記に説明した動作により当該番組を録画する。
【００６０】
次いで、ステップＳ１６０において、制御部２２は、再生した録画番組より後に放送される同一の内容の番組に対応する同一番組情報を、当該番組の放送終了時刻の経過後、同一番組管理部１８から消去させる。
【００６１】
上記説明のように本実施の形態では、ユーザ操作により録画予約が指示された番組と同一の内容の番組を検出し、検出された番組が録画予約番組よりも先に放送される場合、ユーザに録画予約を変更して録画する機会を与えることで、当初録画予約を設定した番組より後に放送される同一の内容の番組が存在しない場合でも、ユーザは、同一の内容の番組を再度録画する機会を得ることができる。
【図面の簡単な説明】
【００６２】
【図１】本発明の実施の形態に係る録画再生装置の構成を示すブロック図である。
【図２】図１に示す録画再生装置の録画予約設定時の動作を示すフローチャートである。
【図３】電子番組表画面の一例を示す図である。
【図４】電子番組表画面の一例を示す図である。
【図５】録画予約を変更するか否かを選択させるための確認画面の一例を示す図である。
【図６】録画予約番組より後に放送される同一の内容の番組が存在することを通知するための確認画面の一例を示す図である。
【図７】録画予約番組表示画面の一例を示す図である。
【図８】録画番組一覧画面の一例を示す図である。
【図９】図１に示す録画再生装置において録画番組より後に放送される同一の内容の番組を録画する手順を示すフローチャートである。
【図１０】再生した録画番組より後に放送される同一の内容の番組を録画するか否かを選択させるための確認画面の一例を示す図である。
【符号の説明】
【００６３】
１０  録画再生装置
１１  受信部
１２  記録処理部
１３  記録媒体
１４  ＥＰＧ処理部
１５  録画予約部
１６  録画番組管理部
１７  同一番組検出部
１８  同一番組管理部
１９  再生処理部
２０  ＯＳＤ（On Screen Display）部
２１  操作入力部
２２  制御部
３０  モニタ
【図１】
2009135755.tif 000003
【図２】
2009135755.tif 000004
【図３】
2009135755.tif 000005
【図４】
2009135755.tif 000006
【図５】
2009135755.tif 000007
【図６】
2009135755.tif 000008
【図７】
2009135755.tif 000009
【図８】
2009135755.tif 000010
【図９】
2009135755.tif 000011
【図１０】
2009135755.tif 000012